(57)【要約】【課題】運転履歴の記録から診断される情報を、次回運転開始の前に利用者に示すことにより、運転継続上の支障の発生を低減する。【解決手段】電源投入時、前回の運転履歴に運転継続上の支障を解決するための運転が実行された履歴があった場合は、診断情報を画面に表示する。【選択図】  図６
2016022284.tif 000002
【特許請求の範囲】
【請求項１】
本体筐体と、この本体筐体内に設けられた洗濯兼脱水槽と、洗濯工程及び脱水工程の運転状態の表示を行う表示装置を備えた洗濯機において、
洗濯工程又は脱水工程で生じた運転継続に対する支障を解決する運転を行う手段、及び、支障を解決する運転を実行した履歴を記録する手段を有し、
次回電源投入時に、前回の運転において支障を解決する運転の履歴が記録されている場合には、その履歴に関する診断情報を表示装置に表示することを特徴とする洗濯機。
【請求項２】
請求項１において、
前記支障を解決する運転の履歴に関する診断情報を表示装置に表示するか否かを設定する操作手段を有し、
表示する設定が選択されている場合に限り、前記支障を解決する運転の履歴に関する診断情報を表示装置に表示することを特徴とする洗濯機。
【請求項３】
本体筐体と、この本体筐体内に設けられた洗濯兼脱水槽と、洗濯工程、脱水工程及び乾燥工程の運転状態の表示を行う表示装置を備えた洗濯機において、
洗濯工程又は脱水工程又は乾燥工程で生じた運転継続に対する支障を解決する運転を行う手段、および、支障を解決する運転を実行した履歴を記録する手段を有し、
次回電源投入時に、前回の運転において支障を解決する運転の履歴が記録されている場合には、その履歴に関する診断情報を表示装置に表示することを特徴とする洗濯乾燥機。
【請求項４】
請求項３において、
前記支障を解決する運転の履歴に関する診断情報を表示装置に表示するか否かを設定する操作手段を有し、
表示する設定が選択されている場合に限り、前記支障を解決する運転の履歴に関する診断情報を表示装置に表示することを特徴とする洗濯乾燥機。
【発明の詳細な説明】
【技術分野】
【０００１】
本発明は、操作ボタン群または操作タッチパネルに隣接して配置される表示装置に、操作ボタン群のまたは操作タッチパネル操作に対応して表示を行う操作表示装置を備えた洗濯機及び洗濯乾燥機に関するものである。
【背景技術】
【０００２】
従来の洗濯機の操作表示装置は、動作時間や動作状態表示を行う複数の表示部分をまとめた表示装置に隣接して、この表示装置を操作する操作ボタンを配置したものが主流である。
【０００３】
これらの表示装置は、表示装置の所定の位置に印刷文字などで表記した表示部分と、選択や動作を表すＬＥＤなどの光源部とを対で設けた構造のものと、表示装置を液晶表示装置で構成したものが知られている。
【０００４】
液晶表示装置は、表示内容が固定されるキャラクタ表示装置と、表示内容が固定されないドットマトリックス表示装置とが一般に知られている。洗濯機では、前記２つの表示装置を採用した提案がなされている。
【０００５】
さらに、ドットマトリックス液晶を表示装置に採用する場合には、併せて表示装置の上面に操作用のタッチパネルを組み合わせた操作表示装置が知られている。
【０００６】
最近の洗濯機は、スタートボタンの操作で予め設定されたコースを自動で運転させることができるが、多様なニーズに対応して多くのコースや詳細設定が可能である。また、近年の主流の大型洗濯機では、乾燥機能を備えていることから、その操作を設定したり表示したりする操作表示部が大型化している。
【０００７】
しかし、昨今の洗濯機性能の向上によって、非常に細やかな制御が行われており、このため利用者にとってわかりにくい動作をすることがある。
【０００８】
例えばドラム式洗濯機の場合、脱水運転によってより高い脱水率を得るため、ドラムをより高速に回転させる必要がある。このとき、衣類がドラム内に片寄って配置された場合、偏心が発生し、ドラム回転に伴う振動が大きく発生して危険であるため、高速回転を行うことができない。
【０００９】
この場合、衣類の偏心を修正するための「ほぐし」運転と呼ばれる、注水・低回転動作を実施するが、利用者にとってはわかりにくい動作となる。特許文献１では、見やすい表示内容で適切な運転状態を利用者に示す洗濯機が提案されている。
【先行技術文献】
【特許文献】
【００１０】
【特許文献１】特開２００１―５６１４５号公報
【発明の概要】
【発明が解決しようとする課題】
【００１１】
特許文献１の洗濯機では、利用者にわかりにくい運転状態を示すことができる。ただし、利用者は洗濯機の傍にいる場合に限りその表示情報を見ることができる。
【００１２】
洗剤が多く投入された場合の泡消し動作のように、洗濯工程や脱水工程で運転継続に対する支障が生じた場合に、その支障を解決する運転の履歴を保守目的で不揮発メモリに記録している場合が多い。
【００１３】
本発明の目的は、利用者にわかりにくい運転継続に対する支障を解決する運転が実行されたことを運転中に表示するだけでなく、運転履歴の記録から診断される情報を、次回運転開始の前に利用者に示すことにより、運転継続上の支障の発生を低減する洗濯機を提供することにある。
【課題を解決するための手段】
【００１４】
前記目的を達成するために、本発明は、
本体筐体と、この本体筐体内に設けられた洗濯兼脱水槽と、洗濯工程及び脱水工程の運転状態の表示を行う表示装置を備えた洗濯機において、
洗濯工程又は脱水工程で生じた運転継続に対する支障を解決する運転を行う手段、及び、支障を解決する運転を実行した履歴を記録する手段を有し、
次回電源投入時に、前回の運転において支障を解決する運転の履歴が記録されている場合には、その履歴に関する診断情報を表示装置に表示することを特徴とする。
【発明の効果】
【００１５】
この発明によれば、運転履歴の記録から診断される情報を、次回運転開始の前に利用者に示すことにより、運転継続上の支障の発生を低減することができる。
【図面の簡単な説明】
【００１６】
【図１】この発明に係る洗濯乾燥機の概略構造を示す説明図である。
【図２】この発明に係る洗濯乾燥機の装置構成を示す装置ブロック図である。
【図３】この発明に係る洗濯乾燥機の操作表示部の構成を示す図である。
【図４】この発明に係る洗濯乾燥機の操作表示部の一つの動作状態を示す状態表示図である。
【図５】この発明に係る洗濯乾燥機における動作フロー図である。
【図６】この発明に係る洗濯乾燥機における前回運転履歴診断の動作フロー図である。
【図７】この発明に係る洗濯乾燥機における前回運転履歴診断の表示画面を示した図である。
【図８】この発明に係る洗濯乾燥機における前回運転履歴診断を表示するか否かを設定する画面を示した図である。
【発明を実施するための形態】
【００１７】
以下、図１から図８を参照して、この発明に係る洗濯乾燥機の実施例を具体的に説明する。ここで、図１は、この発明に係る洗濯乾燥機の概略構造を示す説明図である。図２は、この発明に係る洗濯乾燥機の装置構成を示す装置ブロック図である。
【００１８】
先ず、図１を参照して、この発明に係る洗濯乾燥機の概略構造を説明する。図１において、この実施例に係る洗濯乾燥機は、本体筐体１０の前部に、回転軸を略水平方向、あるいは水平方向に対し数度から２０度程度傾けた回転ドラム（洗濯兼脱水槽）の衣類投入口１１を備えたドラム式の構造を備え、更に、この本体筐体１０内に乾燥機能を備えた乾燥機能付の洗濯乾燥機である。
【００１９】
この洗濯乾燥機の本体筐体１０は、その前面は緩やかな曲面で上面に連続し、かつ、両側面は前方に傾斜面を備えて絞り込んだ丸みのあるコンパクトな外観形状を備えている。
【００２０】
本体筐体１０の前面中央には、内部の回転ドラムに衣類を出し入れする円形の衣類投入ドア１２が設けられ、この右上に設けたドア開閉ハンドル１３を操作することにより、一方の片側を支点に開放することができ、また、これを手で閉めることにより図示しないロック機構により閉鎖状態を維持させることができる。
【００２１】
前記衣類投入ドア１２の上部には、操作表示部１００と洗剤トレー部１４と乾燥フィルタ部１５が集中配置されている。この操作表示部１００などが集中配置される本体筐体１０の前面上部は、後方に倒れる傾斜面１６で形成されており、この傾斜面１６に操作表示部１００などを配置することで、視認性や操作性を向上させている。
【００２２】
前記傾斜面１６の中央に配置される操作表示部１００は、横長の表示部１１０と、この表示部１１０の右に配置されるスタートボタン２０２、及び液晶表示装置５０の上面に組み合わされたタッチパネル５１で構成される。この実施例では、タッチパネル５１及びスタートボタン２０２を操作することで、この洗濯乾燥機の操作指示を行うことができるとともに、その操作指示内容は、前記表示部１１０に表示される。
【００２３】
また、操作表示部１００の一方の片側には、洗剤を投入するための引き出し構造の洗剤トレー部１４が配置されている。また、操作表示部１００の他方の片側には、本体筐体１０内の図示しない乾燥ダクトに取り付けられる図示しないフィルタを装着するための乾燥フィルタ部１５が設けられている。この乾燥フィルタ部１５は手前側に出し入れ可能な引き出し構造を備えている。また、乾燥フィルタ部１５の下部には、電源のＯＮとＯＦＦを行うための一対の電源ボタン２０１が設けられている。
【００２４】
この実施例に係る洗濯乾燥機によれば、衣類投入ドア１２から衣類を投入した後、電源ボタン２０１をＯＮ操作することで、この洗濯乾燥機を起動状態とすることができる。そ
して、表示部１１０には前回の動作状態が表示されているので、スタートボタン２０２を操作することで、前回操作時と同じ設定で洗濯や乾燥などを行うことができる。そしてまた、前回と異なる洗濯や乾燥などを行う場合は、タッチパネル上の操作ボタンを介して任意の操作を入力することが可能であり、その入力内容が表示部１１０に表示され、その表示内容を確認して、スタートボタン２０２を操作すれば、この変更された内容の選択されたコースの運転を行うことができる。また、その設定内容は保存され、次回の操作時に表示されることとなる。
【００２５】
本実施例に係る洗濯乾燥機に用いられる操作表示部１００の大きな特徴の１つは、スタートボタン２０２を操作し、選択されたコースの運転を実施すると、必要に応じて表示部１１０に運転状態を表示するようにしたことである。
【００２６】
以下、図２から図８を参照して、この実施例に係る洗濯乾燥機を更に具体的に説明する。
【００２７】
図２には、この実施例に係る洗濯乾燥機の制御装置のブロック図を示している。電源ボタン２０１のスイッチ３９がＯＮ操作されると、操作表示部１００の裏面側に配置されるマイクロコンピュータ２０は、スタートボタン２０２などの各操作スイッチ２１に接続される操作ボタン入力回路２２や水位センサ２３，温度センサ２４，振動センサ２５、タッチパネル５１と接続され、使用者のボタン操作や洗濯工程，乾燥工程での各種情報信号を受ける。
【００２８】
マイクロコンピュータ２０からの出力は、駆動回路２６に接続され、給水電磁弁２７，排水弁２８，電動機２９，送風ファン３０，ヒータ３１などに接続され、これらの開閉や回転，通電を制御する。また、使用者に洗濯機の動作状態を知らせるための液晶表示装置５０や、ＬＥＤ光源３２，ブザー３３に接続される。
【００２９】
前記マイクロコンピュータ２０は、電源ボタン２０１のスイッチ３９が押されて電源が投入されると起動し、洗濯や乾燥及び脱水の基本的な制御処理プログラムを実行する。マイクロコンピュータ２０は、内蔵したメモリ３４に前記制御処理プログラムを格納し、これらデータを適宜呼び出して各工程を実行する。メモリ３４は本体の電源を切ってもメモリ内容は失われないタイプのメモリとする。また、前回設定された操作指示や運転履歴を記録する用途にＥＥＰＲＯＭのような不揮発メモリ５３が前記マイクロコンピュータ２０に接続されている。
【００３０】
次に、図３を参照して、操作表示部１００の構成を説明する。図３に示すように、操作表示部１００は液晶表示装置５０、タッチパネル５１、及びスタートボタン２０で構成される。本実施の形態例では、液晶表示装置５０として、ドットマトリックス液晶表示装置
を採用している。タッチパネル５１は液晶表示装置５０の上面に組み合わせられ、液晶表示装置５０に表示される画像、あるいはタッチパネル上の印刷の上の指でタッチすることにより、ボタンを押して入力するのと同様の働きをする。
【００３１】
次に、図４を参照して、運転時の表示部１１０の表示形態を説明する。
【００３２】
図４は、「洗⇒乾」のコースが選択され、かつ、「標準」のコースが選択された状態を示している。  このコースメニューによれば、残り時間が２時間５０分であり、「洗い」は１２分、「すすぎ」はためすすぎ２回、「脱水」は１分、乾燥は自動運転であるなどの内容が表示される。
【００３３】
図５は運転コースを選択、設定してから、一連の工程が終了するまでの動作の流れを示したものである。
【００３４】
ステップＳ１０１
前記マイクロコンピュータ２０は、電源ボタン２０１が押されて電源が投入されると起動し、コース選択状態Ｓ１０１に移行する。ここでは利用者の好みに応じた工程を選択することが可能であり、選択状態を表示することが可能である。
【００３５】
ステップＳ１０２
利用者がコースを確定し、スタートボタン２０２を押下すると実施し、内部処理の初期化を行う。
【００３６】
ステップＳ１０３
布量のセンシングを実施する。
【００３７】
ステップＳ１０４
センシング結果に基づき、洗い，すすぎ，脱水時間の確定と、槽内ドラムの駆動モータ（図示せず）の通電パターンの算出と確定を実施する。
【００３８】
ステップＳ１０５
洗い工程を実施する。
【００３９】
ステップＳ１０６
発泡検知処理を実施する。発泡検知は、槽内ドラムの駆動モータに流れる電流を計測する方法や、検知用のセンサを用いる方法で実施する。
【００４０】
ステップＳ１０７
洗い工程終了の判定を行い、まだ終了しない場合はＳ１０５に戻る。
【００４１】
ステップＳ１０８
すすぎ工程を実施する。
【００４２】
ステップＳ１０９
発泡検知処理を実施する。発泡検知は、槽内ドラムの駆動モータに流れる電流を計測する方法や、検知用のセンサを用いる方法で実施する。
【００４３】
ステップＳ１１０
すすぎ工程終了の判定を行い、まだ終了しない場合はＳ１０８に戻る。
【００４４】
ステップＳ１１１
脱水工程を実施する。
【００４５】
ステップＳ１１２
脱水工程終了の判定を行い、まだ終了しない場合はＳ１１１に戻る。
【００４６】
ステップＳ１１３
乾燥工程を実施する。
【００４７】
ステップＳ１１４
乾燥工程終了の判定を行い、まだ終了しない場合はＳ１１３に戻る。
【００４８】
ステップＳ１１５
オートオフ時間経過の判定を行い、まだ終了しない場合はＳ１１５に戻る。
【００４９】
ステップＳ１１６
洗い工程、すすぎ工程で発泡検知があったかの判定を行い、なかった場合は電源オフする。
【００５０】
ステップＳ１１７
泡消し動作回数情報を不揮発メモリに書き込み、電源オフする。
【００５１】
次に、図６を参照して、前回運転履歴診断の動作の流れを説明する。
【００５２】
ステップＳ２０１
前記マイクロコンピュータ２０は、電源ボタン２０１が押されて電源が投入されると、不揮発メモリから前回の運転履歴を読み出す。
【００５３】
ステップＳ２０２
Ｓ２０１で読み出した前回運転履歴に泡消し動作が規定回数以上実行されたことが記録されているかの判定を行い、泡消し動作が規定回数以上でない場合はＳ２０５に進む。
【００５４】
ステップＳ２０３
前回運転診断情報画面（図７）を表示する。
【００５５】
ステップＳ２０４
前回運転診断情報画面（図７）のクローズ指示入力のを判定を行い、まだ入力がなければＳ２０４に戻る。
【００５６】
ステップＳ２０５
コース選択画面を表示し、以降は図５の流れを続行する。
【００５７】
図７は、ステップＳ２０５で表示される前回運転診断情報画面を示したものである。この画面を表示するか否かを設定する手段を設けることにより、この画面表示しないようにすることもできる。
【００５８】
図８は、図７の前回運転診断情報画面を表示するか否かを設定するための画面を示したものである。
【００５９】
なお、本実施の形態例では、ドラム式の洗濯乾燥機に適用した事例で説明したが、洗濯槽の回転軸を垂直とする洗濯乾燥機でも適用することができる。
【００６０】
以上本実施例によれば、本体筐体と、この本体筐体内に設けられた洗濯兼脱水槽と、洗濯工程及び脱水工程の運転状態の表示を行う表示装置を備えた洗濯機において、洗濯工程又は脱水工程で生じた運転継続に対する支障を解決する運転を行う手段、及び、支障を解決する運転を実行した履歴を記録する手段を有し、次回電源投入時に、前回の運転において支障を解決する運転の履歴が記録されている場合には、その履歴に関する診断情報を表示装置に表示することで、運転継続上の支障の発生を低減することができる。
【００６１】
また、本実施例によれば、本体筐体と、この本体筐体内に設けられた洗濯兼脱水槽と、洗濯工程、脱水工程及び乾燥工程の運転状態の表示を行う表示装置を備えた洗濯機において、洗濯工程又は脱水工程又は乾燥工程で生じた運転継続に対する支障を解決する運転を行う手段、および、支障を解決する運転を実行した履歴を記録する手段を有し、次回電源投入時に、前回の運転において支障を解決する運転の履歴が記録されている場合には、その履歴に関する診断情報を表示装置に表示することで、運転継続上の支障の発生を低減することができる。
【符号の説明】
【００６２】
１０  本体筐体
１１  衣類投入口
１２  衣類投入ドア
１３  ドア開閉ハンドル
１４  洗剤トレー部
１５  乾燥フィルタ部
１６  傾斜面
２０  マイクロコンピュータ
２１  操作スイッチ
２２  操作ボタン入力回路
２３  水位センサ
２４  温度センサ
２５  振動センサ
２６  駆動回路
２７  給水電磁弁
２８  排水弁
２９  電動機
３０  送風ファン
３１  ヒータ
３２，２１２  ＬＥＤ光源
３３  ブザー
３４  メモリ
５０  液晶表示装置
５１  タッチパネル
５２  液晶表示部
５３  不揮発メモリ
６１  スイッチ機構部
６２  連結棒
７１  リブ
１００  操作表示部
１０１  操作表示筐体
１１０  表示部
１２０  表示素子
１２１  残時間表示素子
１２２  重複しない表示素子
２００  操作ボタン群
２０１  電源ボタン
２０２  スタートボタン
【図１】
2016022284.tif 000003
【図２】
2016022284.tif 000004
【図３】
2016022284.tif 000005
【図４】
2016022284.tif 000006
【図５】
2016022284.tif 000007
【図６】
2016022284.tif 000008
【図７】
2016022284.tif 000009
【図８】
2016022284.tif 000010